(57)【要約】      （修正有）【課題】ビオラ、バイオリンの駒前方上方に取り付けられて演奏時に弓を保持して前後のぐらつきを防止し、弓使用姿勢の正確性をアップすることができる楽器練習補助器を提供する。【解決手段】アーチ形ブリッジ本体１とその両端に枢接された固定ユニットを包含し、アーチ形ブリッジ本体は二つの離間設置されたブリッジ板１１の底端を連接し弓を支持する支持部１１１を有し、該固定ユニットはサスペンションアーム２と位置決めスリーブ２４を包含する。各サスペンションアームの一端にアーチ形ブリッジ本体の両端の枢接部１２に嵌合される嵌合孔が設けられ、各嵌合孔に制限部２１１が設けられ、サスペンションアームが折り畳みと展開の二つの特定位置の間で回転可能で、該サスペンションアームの他端に足柱２２が設けられ、各足柱と該嵌合孔の間の連接部２３が弾性材料で形成され、各サスペンションアームの足柱に位置決めスリーブが嵌合され、各位置決めスリーブに複数の環状溝を形成しブリッジ板架設の高さを調整可能とする。【選択図】図４
0003176819.tif 000002
【実用新案登録請求の範囲】
【請求項１】
楽器練習補助器において、
アーチ形ブリッジ本体であって、二つの離間設置されたブリッジ板及び二つの該ブリッジ板の両端下方を接続し弓を支持するのに用いられる支持部を包含し、該アーチ形ブリッジ本体の両端にそれぞれ一組の枢接部が設けられた、上記アーチ形ブリッジ本体と、
二組の固定ユニットであって、該アーチ形ブリッジ本体の両端に設けられた枢接部にそれぞれ枢接され、各一つの該固定ユニットは、サスペンションアームと位置決めスリーブを包含し、各該サスペンションアームの一端に、該アーチ形ブリッジ本体の両端に設けられた該枢接部に嵌合される嵌合孔が形成され、各該嵌合孔に制限部が形成され、該サスペンションアームが回転して折り畳みと展開の二つの特定位置に至り、該サスペンションアームの他端に足柱が設けられ、且つ各該足柱と他端の該嵌合孔の間に連接部が形成された、上記二組の固定ユニットと、
使用時に、該アーチ形ブリッジ本体の両端の各一組の該サスペンションアームを回転させて展開位置とし、且つ各組の該サスペンションアームの展開位置が夾角を形成する時、一組の該サスペンションアームの該足柱間の距離は、ビオラ、バイオリンの胴体の両側の内凹部の両側距離より大きく、ゆえに、両側の各一組の該サスペンションアームを対向するように内向きに押圧し、並びに各一組の該サスペンションアームの端部の位置決めスリーブのそのうち一つの環状溝を、ビオラ、バイオリンの両側の内凹部両側のフランジに嵌合させて、該二組のサスペンションアームを開放することにより、該サスペンションアームが展開して該内凹部に挟持され、該楽器練習補助器が安定してビオラ、バイオリンに固定されることを特徴とする、楽器練習補助器。
【請求項２】
請求項１記載の楽器練習補助器において、各該固定ユニットの該サスペンションアームの該足柱と該嵌合孔の間の連接部は弾性を有するプラスチック又は金属で形成されたことを特徴とする、楽器練習補助器。
【請求項３】
請求項１記載の楽器練習補助器において、各該サスペンションアームの足柱に位置決めスリーブが嵌合され、各位置決めスリーブに複数の環状溝が設けられ、該環状溝により該ブリッジ板の架設の高さが調整されて異なるサイズのビオラ、バイオリンに使用されることを特徴とする、楽器練習補助器。
【請求項４】
請求項１記載の楽器練習補助器において、各該位置決めスリーブがプラスチック、ゴム或いはシリコーンゴムで形成されたことを特徴とする、楽器練習補助器。
【考案の詳細な説明】
【技術分野】
【０００１】
本考案は一種の楽器練習補助器に係り、特に、バイオリン、ビオラの胴体の駒の前側上方に設置され、弓でバイオリンを弾くとき、弓を平穏に保持して前後に揺動させず、弓の使用姿勢の正確性を向上する補助器の設計に関する。
【背景技術】
【０００２】
周知の補助器の設計は、複雑なフレームでビオラ、バイオリンの胴体を上下から挟んだ後、さらにネジで締めつけ、弓を動かす時の補助機能を提供する。ただし、その設計は複雑であり、且つ着脱に不便であり、初心者が使用する時に取り付けにくく、特に年齢が小さい学童には、収納と携帯に不便で、使用上の問題を形成する。
【０００３】
別の周知の補助器の設計は、面ファスナーの結束用バンドで、補助器をビオラ、バイオリンの胴体に位置決めする。ただし、結束帯で位置決めする設計は、使用者が該結束帯で結束する時に、補助器に正確な位置を発生させるのが容易でなく、且つ結束帯でビオラ、バイオリンを結束する時、胴体表面は円滑であるため、完全に結束できず、ぐらつきの状況が発生する。
【考案の概要】
【考案が解決しようとする課題】
【０００４】
本考案の主要な目的は、一種の楽器練習補助器を提供することにあり、それは、アーチ形ブリッジ本体の両端に、固定ユニットのサスペンションアームを組み合わせるための枢接部が設けられ、枢接部が固定ユニットの嵌合孔に組み合わされ、各該嵌合孔に制限部が形成され、サスペンションアームが折り畳みと展開の二つの特定位置の間で回転自在とされ、携帯と収納に供されるものとする。
【０００５】
本考案の次の目的は、一種の楽器練習補助器を提供することにあり、それは、サスペンションアームの他端に足柱が設けられ、各足柱と他端の嵌合孔の間の連接部は弾性材料たとえばプラスチック或いは金属で形成され、並びに各サスペンションアームの足柱に位置決めスリーブが嵌合され、各位置決めスリーブに少なくとも一つの環状溝が設けられ、該環状溝はブリッジ本体の架設の高さを調整するのに用いられ、これにより、異なるサイズのビオラ、バイオリンに使用でき、並びに着脱が容易であるものとする。
【０００６】
本考案のさらに一つの目的は、一種の楽器練習補助器を提供することにあり、それは、ビオラ、バイオリンの胴体の駒の前側上方に取り付けられ、弓でビオラ、バイオリンを弾くとき、弓を保持して平穏に動作させ、前後のぐらつきを発生させず、弓の使用姿勢の正確性をアップするものとする。
【課題を解決するための手段】
【０００７】
本考案によると、楽器練習補助器は、
アーチ形ブリッジ本体であって、二つの離間設置されたブリッジ板及び二つの該ブリッジ板の両端下方を接続し弓を支持するのに用いられる支持部を包含し、該アーチ形ブリッジ本体の両端にそれぞれ一組の枢接部が設けられた、上記アーチ形ブリッジ本体と、
二組の固定ユニットであって、該アーチ形ブリッジ本体の両端に設けられた枢接部にそれぞれ枢接され、各一つの該固定ユニットは、サスペンションアームと位置決めスリーブを包含し、各該サスペンションアームの一端に、該アーチ形ブリッジ本体の両端に設けられた該枢接部に嵌合される嵌合孔が形成され、各該嵌合孔に制限部が形成され、該サスペンションアームが回転して折り畳みと展開の二つの特定位置に至り、該サスペンションアームの他端に足柱が設けられ、且つ各該足柱と他端の該嵌合孔の間に連接部が形成された、上記二組の固定ユニットと、
使用時に、該アーチ形ブリッジ本体の両端の各一組の該サスペンションアームを回転させて展開位置とし、且つ各組の該サスペンションアームの展開位置が夾角を形成する時、一組の該サスペンションアームの該足柱間の距離は、ビオラ、バイオリンの胴体の両側の内凹部の両側距離より大きく、ゆえに、両側の各一組の該サスペンションアームを対向するように内向きに押圧し、並びに各一組の該サスペンションアームの端部の位置決めスリーブのそのうち一つの環状溝を、ビオラ、バイオリンの両側の内凹部両側のフランジに嵌合させて、該二組のサスペンションアームを開放することにより、該サスペンションアームが展開して該内凹部に挟持され、該楽器練習補助器が安定してビオラ、バイオリンに固定される。
上記楽器練習補助器において、各該固定ユニットの該サスペンションアームの該足柱と該嵌合孔の間の連接部は弾性を有するプラスチック又は金属で形成される。
上記楽器練習補助器において、各該サスペンションアームの足柱に位置決めスリーブが嵌合され、各位置決めスリーブに複数の環状溝が設けられ、該環状溝により該ブリッジ板の架設の高さが調整されて異なるサイズのビオラ、バイオリンに使用され得る。
上記楽器練習補助器において、各該位置決めスリーブがプラスチック、ゴム或いはシリコーンゴムで形成される。
【考案の効果】
【０００８】
本考案は着脱がスピーディーに行え、取り付け後の角度が正確で安定し、並びに収納と携帯に便利である。
【図面の簡単な説明】
【０００９】
【図１】本考案の立体分解図である。
【図２】本考案の組合せ立体図である。
【図３】本考案の二組のサスペンションアームの折り畳みと展開の実施例図である。
【図４】本考案の補助器をビオラ、バイオリンの胴体に取り付ける時の実施例の立体分解図である。
【図５】本考案の補助器をビオラ、バイオリンの胴体に取り付けた時の実施例の立体図である。
【図６】本考案の弓の操作時の立体図である。
【図７】本考案の弓の操作時の平面図である。
【考案を実施するための形態】
【００１０】
図１及び図２を参照されたい。本考案の楽器練習補助器は、アーチ形ブリッジ本体（１）と、該アーチ形ブリッジ本体（１）の両端にそれぞれ設けられた枢接部（１２）に設けられた二組の固定ユニットを包含する。
【００１１】
該アーチ形ブリッジ本体（１）は二つの離間設置されたブリッジ板（１１）と、二つのブリッジ板（１１）の両端下方を連接し弓（４）を支持するのに供される支持部（１１１）を包含する。
【００１２】
各固定ユニットはサスペンションアーム（２）と位置決めスリーブ（２４）を包含し、各サスペンションアーム（２）の一旦に、アーチ形ブリッジ本体（１）の両端に設けられた枢接部（１２）と嵌合する嵌合孔（２１）が設けられ、各嵌合孔（２１）に制限部（２１１）が形成され、これにより、サスペンションアーム（２）が回転して折り畳みと展開の二つの特定位置にいたる（図３参照）。サスペンションアーム（２）の他端には足柱（２２）が設けられ、且つ各該足柱（２２）と他端の嵌合孔（２１）の間の連接部（２３）は弾性材料、たとえばプラスチック或いは金属で形成され、並びに各該サスペンションアーム（２）の足柱（２２）に位置決めスリーブ（２４）が嵌合され、各該位置決めスリーブ（２４）に複数の環状溝（２４１）が形成されて、ブリッジ板（１１）の架設の高さの調整に供され、これにより、異なるサイズのビオラ、バイオリン（３）に取り付けられる。
【００１３】
使用時には、該アーチ形ブリッジ本体（１）の両端に枢接された各一組のサスペンションアーム（２）が展開位置に回転させられ、且つ各組のサスペンションアーム（２）の展開位置が形成する夾角は、ビオラ、バイオリン（３）の胴体両側の内凹部（３２）の両側距離より大きく、ゆえに、まず両側の各一組のサスペンションアーム（２）が対向するよう内向きに押圧され、並びに各一組のサスペンションアーム（２）の端部の位置決めスリーブ（２４）のそのうち一つの環状溝（２４１）が、ビオラ、バイオリン（３）の胴体両側の内凹部（３２）両側のフランジ（３２１）に嵌合させられた後、該二組のサスペンションアーム（２）が釈放されると、各一組の位置決めスリーブ（２４）がサスペンションアーム（２）の中段の連接部（２３）の弾力により、張開して内凹部（３２）に挟持され、これにより、補助器がしっかりとビオラ、バイオリン（３）の胴体の駒（３１）前方に固定される（図４、５、６及び図７参照）。
【符号の説明】
【００１４】
１  アーチ形ブリッジ本体            １１  ブリッジ板
１１１  支持部                      １２  枢接部
２  サスペンションアーム            ２１  嵌合孔
２１１  制限部                      ２２  足柱
２３  連接部                        ２４  位置決めスリーブ
２４１  環状溝
３  ビオラ、バイオリン              ３１  駒
３２  内凹部                        ３２１  フランジ
４  弓
【図１】
0003176819.tif 000003
【図２】
0003176819.tif 000004
【図３】
0003176819.tif 000005
【図４】
0003176819.tif 000006
【図５】
0003176819.tif 000007
【図６】
0003176819.tif 000008
【図７】
0003176819.tif 000009